(57)【要約】【課題】多方向多重チャネルの放射状バス構造を呈する電極板の設計を提供する。【解決手段】一種の多方向多重チャネルの放射状バス構造を呈する電極板１０１に関するものである。それは特に蓄放電装置に対する電極板１０１を指す。それは電極板１０１の各方向のサイドに設けてあるそれぞれのバス端子２０１、４０１をセンターポイントとして、電極板１０１の中心に多方向多重チャネルの放射状を呈する導電構造５０１を設けることで、蓄放電装置の電極板１０１より全体的に電流を入出力する場合の平均化を増進することができるし、内部の抵抗を低下することもできる。【選択図】図１
2008016374.tif 000002
【特許請求の範囲】
【請求項１】
一種の多方向多重チャネルの放射状バス構造を呈する電極板に関するものであり、特に蓄放電装置の電極板であって、
電極板の各方向のサイドに設けてあるそれぞれのバス端子をセンターポイントとして、電極板の中心に多方向多重チャネルの放射状を呈する導電構造を設けることで、蓄放電装置の電極板より全体的に電流を入出力する場合の平均化が増進され、内部の抵抗を低下する電極板。
【請求項２】
請求項１に記載される多方向多重チャネルの放射状バス構造を呈する電極板であって、電極板（１０１）の四辺に導電フレーム（１００）を設け、電極板（１０１）の一辺ａが電極板の縦方向の中心線Ｖのある側に沿う場所に入出力端子（２０１）を設け、その相対する一辺Ｃが電極板の縦方向の中心線Ｖ及び入出力端子（２０１）の別一つの対角側に沿う場所に入出力端子（４０１）を設け、その電極板に設けてある網状導電構造（５０１）は、それぞれ入出力端子（２０１）及び入出力端子（４０１）を中心として、対辺へ放射状を呈して拡散する電極板。
【請求項３】
請求項１に記載される多方向多重チャネルの放射状バス構造を呈する電極板であって、電極板（１０１）の四辺に導電フレーム（１００）を設け、電極板（１０１）の一辺ａが電極板の縦方向の中心線Ｖのある側に沿う場所に入出力端子（２０１）及び入出力端子（２０２）を設け、その相対する一辺Ｃが電極板の縦方向の中心線Ｖを二つの入出力端子（２０１）及び（２０２）と交差する対角側に沿う場所に入出力端子（４０１）及び入出力端子（４０２）を設け、その電極板に設けてある網状導電構造（５０１）は、それぞれ入出力端子（２０１）、（２０２）及び入出力端子（４０１）、（４０２）を中心として、対辺へ放射状を呈して拡散する電極板。
【請求項４】
請求項１に記載される多方向多重チャネルの放射状バス構造を呈する電極板であって、電極板（１０１）の四辺に導電フレーム（１００）を設け、電極板（１０１）の一辺ａが電極板の縦方向の中心線Ｖのある側に沿う場所に入出力端子（２０１）を設け、その相対する一辺Ｃが電極板の縦方向の中心線Ｖを端子（２０１）と相対する対角側に沿う場所に入出力端子（４０１）を設け、その電極板に設けてある網状導電構造（５０１）は、それぞれ入出力端子（２０１）及び入出力端子（４０１）を中心として、対辺へ放射状を呈して拡散し、
電極板（１０１）の一辺ｂが電極板の横方向の中心線Ｈのある側に沿う場所に入出力端子（１２０１）を設け、その相対する一辺ｄが電極板の横方向の中心線Ｈを入出力端子（１２０１）と相対する対角側に沿う場所に入出力端子（１４０１）を設け、その電極板に設けてある網状導電構造（５０１）は、それぞれ入出力端子（１２０１）及び入出力端子（１４０１）を中心として、対辺へ放射状を呈して拡散する電極板。
【請求項５】
請求項１に記載される多方向多重チャネルの放射状バス構造を呈する電極板であって、電極板（１０１）の四辺に導電フレーム（１００）を設け、電極板（１０１）の一辺ａが電極板の縦方向の中心線Ｖの両側に沿う場所に入出力端子（２０１）及び入出力端子（２０２）を設け、その相対する一辺Ｃが電極板の縦方向の中心線Ｖの相対する対角側に沿う場所に入出力端子（４０１）及び入出力端子（４０２）を設け、その電極板に設けてある網状導電構造（５０１）は、それぞれ入出力端子（２０１）、（２０２）及び入出力端子（４０１）、（４０２）を中心として、対辺へ放射状を呈して拡散し、
必要によって、網状導電構造（５０１）を接続する横方向の導電構造（１６０１）を横方向で設けられ、
電極板（１０１）の一辺ｂが電極板の横方向の中心線Ｈのある側に沿う場所に入出力端子（１２０１）及び入出力端子（１２０２）を設け、その相対する一辺ｄが電極板の横方向の中心線Ｈの別一つの対角側に沿う場所に入出力端子（１４０１）、入出力端子（１４０２）を設け、その電極板に設けてある網状導電構造（５０１）は、それぞれ入出力端子（１２０１）、（１２０２）及び入出力端子（１４０１）、（１４０２）を中心として、対辺へ放射状を呈して拡散する電極板。
【請求項６】
請求項１に記載される多方向多重チャネルの放射状バス構造を呈する電極板であって、必要によって選定された丸形電極板（１０００）の中間に丸形貫通孔（２０００）を備え、そのプラスマイナス電極板の外径と丸形貫通孔（２０００）の直径のサイズが異なり、その中の一つの電極板の外径がより大きいので、その内部丸形貫通孔の内径もより大きく、その外円側に導電フレーム（３０００）を設けることで電極を構成し、半径方向の放射状を呈する導電構造（１５０１）は、外円側に設けてある導電フレーム（３０００）をバス電極とし、必要によって、環状導電構造（５００１）を設けられ、
別一つの電極板の外径がより小さいので、その内部丸形貫通孔（２０００）の内径もより小さく、その中間丸形貫通孔（２０００）にも導電フレーム（４０００）を設けることで電極を構成し、
半径方向の放射状を呈する導電構造（１６０１）は、中間丸形貫通孔での導電フレーム（４０００）を環状導電構造（６００１）とする電極板。
【請求項７】
請求項１に記載される多方向多重チャネルの放射状バス構造を呈する電極板であって、半径方向の放射状を呈する導電構造の交差点の位置に、交差点の代わりとして、丸形、又は多角形、又はその他幾何形の圏状導電構造（７０００）を使うことで、シャープな交差角の形成を避けられるので、活性物質を塗布する場合の付着度及び導電性を増進する電極板。
【発明の詳細な説明】
【技術分野】
【０００１】
この発明は多方向多重チャネルの放射状バス構造を呈する電極板の設計を提供するものである。
【背景技術】
【０００２】
従来の蓄電装置は通常電極板の単一方向に単一入出力バス端子を設ける構造である(図１３の通り)。又、単一方向にマルチ入出力バス端子を設ける構造である(図１４の通り)。その単一方向に単一入出力バス端子を設ける電極板に通常チェック網状の導体を設けることで電極板の電流を集める(図１５の通り)。又、単一方向の放射状を呈する導体を設けることで電流を集める(図１６の通り)。その単一方向にマルチ入出力バス端子を設ける電極板も同一である。更に、従来の蓄放電装置に大電流を出力し、又は、大電流を充電して入力する場合、その内部の磨耗が大きくなる。
【発明の開示】
【発明が解決しようとする課題】
【０００３】
この発明の主要な目的は、多方向多重チャネルの放射状バス構造を呈する電極板の設計を提供するものである。従来の蓄放電装置に大電流を出力し、又は、大電流を充電して入力する場合、その内部の磨耗が大きくなるが、この発明を使う場合、蓄放電装置の電極板に大電流を出力する場合、その電流を拡大して放電することができる。又は、大電流で充電する場合、全体的に電流を入出力する場合の平均化を増進することができるし、内部の抵抗を低下することもできる。
【０００４】
この発明の多方向多重チャネルの放射状バス構造を呈する電極板は、特に蓄放電装置に対する電極板を指す。それは電極板の各方向のサイドに設けてあるそれぞれのバス端子をセンターポイントとして、電極板の中心に多方向多重チャネルの放射状を呈する導電構造を設けることで、蓄放電装置の電極板より全体的に電流を入出力する場合の平均化を増進することができるし、内部の抵抗を低下することもできる。
【課題を解決するための手段】
【０００５】
一種の多方向多重チャネルの放射状バス構造を呈する電極板に関するものである。それは特に蓄放電装置に対する電極板を指す。それは電極板の各方向のサイドに設けてあるそれぞれのバス端子をセンターポイントとして、電極板の中心に多方向多重チャネルの放射状を呈する導電構造を設けることで、蓄放電装置の電極板より全体的に電流を入出力する場合の平均化を増進することができるし、内部の抵抗を低下することもできる。
【発明を実施するための最良の形態】
【０００６】
図１は、この発明の両方向にそれぞれ一つの入出力バス端子を設ける多方向多重チャネルの放射状バス構造を呈する電極板の実施例説明図である。
図２は、図１の側面図である。
図１及び図２の実施例の中に、電極板１０１の四辺に導電フレーム１００を設け、電極板１０１の一辺ａが電極板の縦方向の中心線Ｖのある側に沿う場所に入出力端子２０１を設け、その相対する一辺Ｃが電極板の縦方向の中心線Ｖ及び入出力端子２０１の別一つの対角側に沿う場所に入出力端子４０１を設け、その電極板に設けてある網状導電構造５０１は、それぞれ入出力端子２０１及び入出力端子４０１を中心として、対辺へ放射状を呈して拡散するものである。
【０００７】
図３は、この発明の両方向にそれぞれ二つの入出力バス端子を設ける多方向多重チャネルの放射状バス構造を呈する電極板の実施例説明図である。
図４は、図３の側面図である。
図３及び図４の実施例の中に、電極板１０１の四辺に導電フレーム１００を設け、電極板１０１の一辺ａが電極板の縦方向の中心線Ｖのある側に沿う場所に入出力端子２０１及び入出力端子２０２を設け、その相対する一辺Ｃが電極板の縦方向の中心線Ｖを二つの入出力端子２０１及び２０２と交差する対角側に沿う場所に入出力端子４０１及び入出力端子４０２を設け、その電極板に設けてある網状導電構造５０１は、それぞれ入出力端子２０１、２０２及び入出力端子４０１、４０２を中心として、対辺へ放射状を呈して拡散するものである。
【０００８】
図５は、この発明の四方向にそれぞれ一つの入出力バス端子を設ける多方向多重チャネルの放射状バス構造を呈する電極板の実施例説明図である。
図６は、図５の側面図である。
図５及び図６の実施例の中に、電極板１０１の四辺に導電フレーム１００を設け、電極板１０１の一辺ａが電極板の縦方向の中心線Ｖのある側に沿う場所に入出力端子２０１を設け、その相対する一辺Ｃが電極板の縦方向の中心線Ｖを入出力端子２０１と相対する対角側に沿う場所に入出力端子４０１を設け、その電極板に設けてある網状導電構造５０１は、それぞれ入出力端子２０１及び入出力端子４０１を中心として、対辺へ放射状を呈して拡散するものである。
【０００９】
電極板１０１の一辺ｂが電極板の横方向の中心線Ｈのある側に沿う場所に入出力端子１２０１を設け、その相対する一辺ｄが電極板の横方向の中心線Ｈを入出力端子１２０１と相対する対角側に沿う場所に入出力端子１４０１を設け、その電極板に設けてある網状導電構造５０１は、それぞれ入出力端子１２０１及び入出力端子１４０１を中心として、対辺へ放射状を呈して拡散するものである。
【００１０】
図７は、この発明の四方向にそれぞれ二つの入出力バス端子を設ける多方向多重チャネルの放射状バス構造を呈する電極板の実施例説明図である。
図８は、図７の側面図である。
図７及び図８の実施例の中に、電極板１０１の四辺に導電フレーム１００を設け、電極板１０１の一辺ａが電極板の縦方向の中心線Ｖの両側に沿う場所に入出力端子２０１及び入出力端子２０２を設け、その相対する一辺Ｃが電極板の縦方向の中心線Ｖの相対する対角側に沿う場所に入出力端子４０１及び入出力端子４０２を設け、その電極板に設けてある網状導電構造５０１は、それぞれ入出力端子２０１、２０２及び入出力端子４０１、４０２を中心として、対辺へ放射状を呈して拡散する。
【００１１】
電極板１０１の一辺ｂが電極板の横方向の中心線Ｈのある側に沿う場所に入出力端子１２０１及び入出力端子１２０２を設け、その相対する一辺ｄが電極板の横方向の中心線Ｈの別一つの対角側に沿う場所に入出力端子１４０１、入出力端子１４０２を設け、その電極板に設けてある網状導電構造５０１は、それぞれ入出力端子１２０１、１２０２及び入出力端子１４０１、１４０２を中心として、対辺へ放射状を呈して拡散するものである。
【００１２】
図９は、この発明を中間に貫通孔を設ける多方向多重チャネルの放射状バス構造に応用し、その外円側を入出力端子とする電極板の実施例説明図である。
図１０は、図９の側面図である。
図１１は、この発明を中間に貫通孔を設けることで、入出力端子として使われるし、多方向多重チャネルの放射状バス構造を備える電極板に応用する実施例説明図である。
図１２は、図１１の側面図である。
【００１３】
図９、図１０及び図１１、図１２の実施例の中に、丸形電極板１０００を例として、必要によって選定された丸形電極板１０００の中間に丸形貫通孔２０００を備え、そのプラスマイナス電極板の外径と丸形貫通孔２０００の直径のサイズが異なる。図９の通り、その中の一つの電極板の外径がより大きいので、その内部丸形貫通孔の内径もより大きい。又、その外円側に導電フレーム３０００を設けることで入出力端子を構成する。その電極板に半径方向の放射状を呈する導電構造１５０１は、外円側に設けてある導電フレーム３０００をバス入出力端子とするし、必要によって、環状導電構造５００１を設けることができる。図１１の通り、別一つの電極板の外径がより小さいので、その内部丸形貫通孔２０００の内径もより小さい。その中間丸形貫通孔２０００にも導電フレーム４０００を設けることで入出力端子を構成する。その電極板に半径方向の放射状を呈する導電構造１６０１は、中間丸形貫通孔での導電フレーム４０００をバス入出力端子とするし、必要によって、環状導電構造６００１を設けることができる。
【００１４】
この多方向多重チャネルの放射状バス構造を呈する電極板について、前述の実施例の中に、その電極板に半径方向の放射状を呈する導電構造の交差点の位置に、図７のように、交差点の代わりとして、丸形、又は多角形、又はその他幾何形の圏状導電構造７０００を使うことで、シャープな交差角の形成を避けられるので、活性物質を塗布する場合の付着度及び導電性を増進することができる。
【００１５】
前述によって、この多方向多重チャネルの放射状バス構造を呈する電極板は、特に蓄放電装置に対する電極板を指す。それは電極板の各方向のサイドに設けてあるそれぞれのバス端子をセンターポイントとして、電極板の中心に多方向多重チャネルの放射状を呈する導電構造を設けることで、電極板より全体的に電流を入出力する場合の平均化を増進することができるし、内部の抵抗を低下することもできる。その機能がはっきりわかるし、その多方向多重チャネルの放射状バス構造を呈する電極板について、いままでこのものを見たことがないので、法律によって審査してくださいますようお願いします。
【図面の簡単な説明】
【００１６】
【図１】この発明の両方向にそれぞれ一つの入出力バス端子を設ける多方向多重チャネルの放射状バス構造を呈する電極板の実施例説明図である。
【図２】図１の側面図である。
【図３】この発明の両方向にそれぞれ二つの入出力バス端子を設ける多方向多重チャネルの放射状バス構造を呈する電極板の実施例説明図である。
【図４】図３の側面図である。
【図５】この発明の四方向にそれぞれ一つの入出力バス端子を設ける多方向多重チャネルの放射状バス構造を呈する電極板の実施例説明図である。
【図６】図５の側面図である。
【図７】この発明の四方向にそれぞれ二つの入出力バス端子を設ける多方向多重チャネルの放射状バス構造を呈する電極板の実施例説明図である。
【図８】図７の側面図である。
【図９】この発明を中間に貫通孔を設ける多方向多重チャネルの放射状バス構造に応用し、その外円側を入出力端子とする電極板の実施例説明図である。
【図１０】図９の側面図である。
【図１１】この発明を中間に貫通孔を設けることで、入出力端子として使われるし、多方向多重チャネルの放射状バス構造を備える電極板に応用する実施例説明図である。
【図１２】図１１の側面図である。
【図１３】従来の蓄電装置は電極板の単一方向に単一入出力バス端子を設ける構造の説明図である。
【図１４】従来の蓄電装置は電極板の単一方向にマルチ入出力バス端子を設ける構造の説明図である。
【図１５】従来の蓄電装置は電極板にチェック網状の導体を設ける構造の説明図である。
【図１６】従来の蓄電装置は電極板に単一方向の放射状を呈する導体を設ける構造の説明図である。
【符号の説明】
【００１７】
１００  導電フレーム、１０１  電極板、１０００  丸形電極板、１５０１、１６０１  導電構造、２０１、２０２、４０１、４０２、１２０１、１２０２、１４０１、１４０２  入出力端子、２０００  丸形貫通孔、３０００、４０００  導電フレーム、５０１  網状導電構造、５００１、６００１  環状導電構造、７０００  圏状導電構造
【図１】
2008016374.tif 000003
【図２】
2008016374.tif 000004
【図３】
2008016374.tif 000005
【図４】
2008016374.tif 000006
【図５】
2008016374.tif 000007
【図６】
2008016374.tif 000008
【図７】
2008016374.tif 000009
【図８】
2008016374.tif 000010
【図９】
2008016374.tif 000011
【図１０】
2008016374.tif 000012
【図１１】
2008016374.tif 000013
【図１２】
2008016374.tif 000014
【図１３】
2008016374.tif 000015
【図１４】
2008016374.tif 000016
【図１５】
2008016374.tif 000017
【図１６】
2008016374.tif 000018